(57)【特許請求の範囲】
【請求項１】
光学部材を保持し、前記光学部材の光軸方向に移動することができる保持部材と、
前記保持部材の外径側に配置される固定部材と、
フレキシブル基板が接続され、前記保持部材と同じように前記光軸方向に移動することができる電気ユニットと、
を備えた光学装置であって、
前記固定部材には、引き出し部の少なくとも一部と、凸形状部と、凹形状部と、当接部が前記光軸方向に並んで形成され、
前記フレキシブル基板は、前記引き出し部から引き出され、
前記凸形状部は、前記引き出し部より像面側に位置し、前記引き出し部より内径側に突出して形成され、
前記凹形状部は、前記凸形状部より像面側に位置し、前記引き出し部より外径側に凹んで形成され、
前記当接部は、前記凹形状部より像面側に位置し、前記凸形状部より内径側に形成され、
前記光学装置が収納状態へ移行する間に、前記フレキシブル基板の一部が前記凸形状部に接触したのち、前記フレキシブル基板の一部が前記当接部に当接することで、前記光学装置が前記収納状態となるときには、前記フレキシブル基板の第１の曲げ部が内径側に突出し、前記フレキシブル基板の第２の曲げ部が前記凹形状部に収納されることを特徴とする光学装置。
【請求項２】
前記固定部材の前記凸形状部の少なくとも一部は、円弧形状を有し、前記光学装置が収納状態へ移行する間に、前記フレキシブル基板は前記円弧形状と接触して、前記フレキシブル基板の第１の曲げ部が内径側に突出し、前記フレキシブル基板の第２の曲げ部が前記凹形状部に収納されることを特徴とする請求項１に記載の光学装置。
【請求項３】
前記固定部材の前記凸形状部は、前記引き出し部の径方向位置を中心とした略半円形状で内径側に突出して形成されることを特徴とする請求項１又は２記載の光学装置。 
【請求項４】
前記凸形状部の曲率半径は、前記凸形状部の光軸方向の最大長さの略半分であることを特徴とする請求項３に記載の光学装置。
【請求項５】
前記固定部材に設けられた前記凸形状部と前記凹形状部のそれぞれの光軸方向の最大長さは略同一であることを特徴とする請求項１乃至４のいずれか１項に記載の光学装置。 
【請求項６】
前記電気ユニットは、前記光学部材に入射する光量を調整する光量調整ユニットであることを特徴とする請求項１乃至５のいずれか１項に記載の光学装置。
【請求項７】
前記固定部材は、撮像素子を保持する撮像素子保持部材であることを特徴とする請求項１乃至６のいずれか１項に記載の光学装置。
【請求項８】
前記固定部材の前記凹形状部より像面側には、前記凸形状部の光軸方向への投影面積よりも大きい面積を有する穴部が形成され、
前記穴部はシート部材で塞がれることを特徴とする請求項１乃至７のいずれか１項に記載の光学装置。
【請求項９】
前記固定部材に形成される穴部には、前記光学装置が収納状態となるときに前記フレキシブル基板の幅方向中央部で前記フレキシブル基板に当接する底部が設けられ、前記凸形状部の中央に、前記フレキシブル基板の前記幅方向の長さに関して、前記底部と同じか又はそれ以上の貫通部が設けられることを特徴とする請求項８記載の光学装置。
【請求項１０】
前記固定部材に形成される穴部には、前記光学装置が収納状態となるときに前記フレキシブル基板の幅方向両端部で前記フレキシブル基板に当接する２つの底部が設けられ、前記凸形状部は、前記幅方向の長さに関して、前記２つの底部により塞がれていない部分と同じかまたはそれ以下であることを特徴とする請求項８記載の光学装置。
【発明の詳細な説明】
【技術分野】
【０００１】
本発明は、ズーム機構を備える光学装置に関する。
【背景技術】
【０００２】
複数の光学レンズを光軸方向に移動させて撮影倍率を変更するズーム機構を備える撮影レンズ鏡筒等の光学装置を備えた撮像装置が知られている。撮影レンズ鏡筒のズーム機構としては、例えば、レンズを保持するレンズ保持枠を回転するカム筒のカム溝に係合させると共に、直進筒によってレンズ保持枠の回転を規制して、レンズ保持枠を光軸方向に移動させるものが知られている。
【０００３】
ズーム機構を備える撮影レンズ鏡筒では、レンズスペックの向上に伴い、撮影レンズ鏡筒自体は小型化される傾向にある。しかし、撮影レンズ鏡筒の小型化に伴い、撮影レンズ鏡筒内外でのフレキシブル基板による電気接続が必要な光量調整部材の繰り出し時と収納時のストローク（操り出し量）が増大している。そのため、ストロークに対応した長いフレキシブル基板を、従来から一般的に用いられているＵ字型に納めることが難しくなってきている。
【０００４】
撮影レンズ鏡筒を大型化させることなく沈胴時の撮影レンズ鏡筒内のスペースに長いフレキシブル基板を収納するために、撮影レンズ鏡筒内のスペース自体を拡大する方法や長いフレキシブル基板を効率的に畳み込む方法について多くの検討がなされている。例えば、撮影レンズ鏡筒の沈胴時には、撮像装置は非撮影状態である。このことを利用して、撮影レンズ鏡筒の沈胴時に、フレキシブル基板の一部を撮影レンズ鏡筒の有効光路内に侵入させる技術が提案されている（特許文献１参照）。この技術は、撮影レンズ鏡筒が撮影状態である時にのみ必要となる空間を撮影レンズ鏡筒の沈胴時に効率的に利用することで、フレキシブル基板の収納スペースを実質的に拡大するものである。
【先行技術文献】
【特許文献】
【０００５】
【特許文献１】特開平９-２１１２８４号公報
【発明の概要】
【発明が解決しようとする課題】
【０００６】
しかしながら、上記特許文献１に記載された技術では、フレキシブル基板のように可撓性を有し、収納状態が安定しない部材を撮影レンズ鏡筒の有効光路内に侵入させている。そのため、フレキシブル基板を撮影レンズ鏡筒の有効光路内に侵入させた際に、フレキシブル基板がレンズに当接して、レンズを傷付けてしまうおそれもある。また、撮影レンズ鏡筒の有効光路内にフレキシブル基板を侵入させた場合、撮像装置の電源をオンしてから撮像素子に写り込む被写体像を出力するまでの時間に、フレキシブル基板が完全に有効光路内から退避させる必要がある。したがって、撮像装置の起動時間が長くなってしまうという問題が生じる。
【０００７】
本発明は、レンズ或いは光量調整部材等の光学部材の繰り出しストロークが長い光学装置であっても、フレキシブル基板の損傷を抑制しつつ、フレキシブル基板を効率よく収納することが可能な光学装置を提供することを目的とする。
【課題を解決するための手段】
【０００８】
上記目的を達成するために、本発明の光学装置は、光学部材を保持し、前記光学部材の光軸方向に移動することができる保持部材と、前記保持部材の外径側に配置される固定部材と、フレキシブル基板が接続され、前記保持部材と同じように前記光軸方向に移動することができる電気ユニットと、を備えた光学装置であって、前記固定部材には、引き出し部の少なくとも一部と、凸形状部と、凹形状部と、当接部が前記光軸方向に並んで形成され、前記フレキシブル基板は、前記引き出し部から引き出され、前記凸形状部は、前記引き出し部より像面側に位置し、前記引き出し部より内径側に突出して形成され、前記凹形状部は、前記凸形状部より像面側に位置し、前記引き出し部より外径側に凹んで形成され、前記当接部は、前記凹形状部より像面側に位置し、前記凸形状部より内径側に形成され、前記光学装置が収納状態へ移行する間に、前記フレキシブル基板の一部が前記凸形状部に接触したのち、前記フレキシブル基板の一部が前記当接部に当接することで、前記光学装置が前記収納状態となるときには、前記フレキシブル基板の第１の曲げ部が内径側に突出し、前記フレキシブル基板の第２の曲げ部が前記凹形状部に収納されることを特徴とする。
【発明の効果】
【０００９】
本発明によれば、レンズ或いは光量調整部材等の光学部材の繰り出しストロークが長い光学装置であっても、フレキシブル基板の損傷を抑制しつつ、フレキシブル基板を効率よく収納することが可能になる。
【図面の簡単な説明】
【００１０】
【図１】本発明の実施形態に係る光学装置としての撮影レンズ鏡筒を備える撮像装置の外観斜視図である。
【図２】図１の撮像装置が備える撮影レンズ鏡筒の分解斜視図である。
【図３】図２の撮影レンズ鏡筒が備える第１実施形態に係る撮像素子保持部材の構造を示す斜視図である。
【図４】図３の撮像素子保持部材に図２に示す撮影レンズ鏡筒の一部の部材を組み付けた状態を示す斜視図である。
【図５】図２の撮影レンズ鏡筒が撮影状態のＴＥＬＥ（望遠）位置にあるときの断面図である。
【図６】図２の撮影レンズ鏡筒が撮影状態のＷＩＤＥ（広角）位置にあるときの断面図である。
【図７】（ａ）は、図２の撮影レンズ鏡筒が非撮影状態（沈胴状態）にあるときの断面図であり、（ｂ）は、（ａ）の一点鎖線で示すＡ部の要部を示す図である。
【図８】第２実施形態に係る撮像素子保持部材の構造を示す斜視図である。
【図９】図８の撮像素子保持部材にフレキシブル基板のみを配置した状態を示す斜視図である。
【図１０】第３実施形態に係る撮像素子保持部材の構造を示す斜視図である。
【図１１】図１０の撮像素子保持部材にフレキシブル基板のみを配置した状態を示す斜視図である。
【発明を実施するための最良の形態】
【００１１】
以下、本発明の実施形態について、添付図面を参照して詳細に説明する。図１は、本発明の実施形態に係る光学装置としての撮影レンズ鏡筒２を備える撮像装置１００の外観斜視図である。なお、本発明に係る光学装置は、図１に示した撮像装置１００の外観構成を有するものに限定されるものではない。
【００１２】
撮像装置１００のカメラ本体１の前面には、撮影レンズ（不図示）の焦点距離を変更可能な撮影レンズ鏡筒２が配置されている。撮影レンズ鏡筒２の前面には、撮像装置１００の電源ＯＮ／ＯＦＦに従って撮影レンズの光路を開閉するレンズバリア装置３が設けられている。カメラ本体１の上面には、被写体に照明光を照射するストロボ装置を構成する発光窓部４が配置されており、カメラ本体１の前面には、ファインダ窓５が設けられている。カメラ本体１の上面には、撮影準備動作（焦点調節動作、測光動作等）と撮影動作（フィルムやイメージセンサ（撮像素子）への露光）を開始させるためのレリーズボタン６が設けられている。
【００１３】
＜第１実施形態＞
図２は、図１の撮像装置１００が備える撮影レンズ鏡筒２の分解斜視図である。撮影レンズ鏡筒２は、１群鏡筒７、絞りユニット８、２群鏡筒９、移動カム環１０、直進筒１１、３群鏡筒１２、固定筒１３、撮像素子保持部材１４、鏡筒駆動モータ１５及び鏡筒フレキシブル基板１６を備える。
【００１４】
１群鏡筒７は、１群撮影レンズＬ１（図５乃至図７（ｂ）参照：光学部材）を保持し、レンズバリア装置３を備える。絞りユニット８は、光量調整部材の１つである絞り部材（電気ユニット・光量調整ユニット）を備え、１群撮影レンズＬ１に入射し、フィルムやイメージセンサへ導かれる光量を調節する。また、絞りユニット８は、絞りユニット８の駆動部に這い回された絞りフレキシブル基板８ａを備える。２群鏡筒９は、２群撮影レンズＬ２（図５乃至図７（ｂ）参照）を保持し、防振レンズ機構と光量調整部材の１つであるシャッタ部材を備える。また、２群鏡筒９には、２群鏡筒９のシャッタ駆動部に這い回されたシャッタフレキシブル基板９ａを備える。
【００１５】
移動カム環１０は、１群鏡筒７、絞りユニット８及び２群鏡筒９を光軸方向に移動させるための駆動カム（カム溝）を内周部に備えると共に、鏡筒駆動モータ１５より動力を伝達されるギア部を備える。直進筒１１は、移動カム環１０に回転可能に保持され、１群鏡筒７、絞りユニット８及び２群鏡筒９を直進規制する。３群鏡筒１２は、３群撮影レンズＬ３（図５乃至図７（ｂ）参照）を保持する。固定部材の１つである固定筒１３は、内周部に移動カム環１０を駆動するための駆動カムを備える。固定部材の１つである撮像素子保持部材１４は、撮像素子（ＣＣＤセンサ或いはＣＭＯＳセンサ等のイメージセンサ）を保持し、光軸方向において固定筒１３と結合される。
【００１６】
鏡筒フレキシブル基板１６は、撮影レンズ鏡筒２全体に備わる駆動部材を電気接続するメイン基板である。絞りフレキシブル基板８ａとシャッタフレキシブル基板９ａは、固定筒１３の外径側において、後述するように、鏡筒フレキシブル基板１６とコネクタ接続される。なお、本発明に係る撮影レンズ鏡筒は、以下に説明する本発明の特徴を満たす構成であればよく、図２に示される構成に限定されるものではない。
【００１７】
次に、図３及び図４を参照して、絞りユニット８の絞りフレキシブル基板８ａと２群鏡筒９のシャッタフレキシブル基板９ａの這い回しと固定方法について説明する。図３は、図２の撮影レンズ鏡筒２が備える第１実施形態に係る撮像素子保持部材１４の構造を示す斜視図であり、撮像素子保持部材１４には、以下に説明する通り、絞りフレキシブル基板８ａとシャッタフレキシブル基板９ａの収納に必要な形状部が設けられている。なお、下記説明において、絞りフレキシブル基板８ａとシャッタフレキシブル基板９ａの２つのフレキシブル基板を指すときには、適宜、「フレキシブル基板８ａ・９ａ」と記すこととする。
【００１８】
撮像素子保持部材１４は、フレキシブル基板８ａ・９ａを収納する、光軸方向に伸びる壁部材１４１を有する。壁部材１４１の被写体側には、後述する引き出し口の径方向位置より内径側に突出する略半円形状の凸形状部１４ａが設けられており、凸形状部１４ａの撮像面側には上記引き出し口の径方向位置より外径側にフレキシブル基板８ａ・９ａを収容するための凹形状部１４ｂが設けられている。凸形状部１４ａは、金型成形により、光軸方向の被写体側と撮像面側にそれぞれ金型を抜いて成形されるため、凸形状部１４ａの形成には、凸形状部１４ａの撮像面側に凸形状部１４ａの光軸方向への投影面積よりも大きい面積を有する穴部１４ｇを底面１４ｅに設けることが必要となる。この場合、フレキシブル基板８ａ・９ａの収納時に穴部１４ｇからフレキシブル基板８ａ・９ａが飛び出してしまうことを防ぐ必要があるため、撮影レンズ鏡筒２の撮像面側周辺部材の平らな面を利用し或いは不図示のシート部材を用いて穴部１４ｇを塞いでいる。
【００１９】
図４は、図３の撮像素子保持部材１４に図２に示す撮影レンズ鏡筒２の一部の部材を組み付けた状態を示す斜視図である。図４では、構造の理解が容易となるように、撮像素子保持部材１４に絞りユニット８、２群鏡筒９及び固定筒１３のみを組み付けて鏡筒フレキシブル基板１６を這い回した状態を示している。
【００２０】
フレキシブル基板８ａ・９ａはそれぞれ、撮像素子保持部材１４に組み込まれる前段階で、絞りフレキシブル基板８ａの位置決め穴８ｂとシャッタフレキシブル基板９ａの位置決め穴９ｂに固定筒１３の位置決めダボ１３ａを通した状態で、位置が固定されている。フレキシブル基板８ａ・９ａは、絞りユニット８と２群鏡筒９が最も繰り出すＴＥＬＥ（望遠）位置（図５参照）で、フレキシブル基板８ａ・９ａに弛みが生じないように、撮像素子保持部材１４と結合される。また、固定筒１３の外面１３ｃと撮像素子保持部材１４の壁部材１４１の内面１４ｄ（適宜図３，図７（ｂ）参照）とで形成される隙間（以下「引き出し口」という）から、フレキシブル基板８ａ・９ａの先端部が固定筒１３の外側に引き出される。
【００２１】
引き出し口から固定筒１３の外側にその先端部が引き出されたフレキシブル基板８ａ・９ａはそれぞれ、鏡筒フレキシブル基板１６に実装された絞りコネクタ部１６ｂとシャッタコネクタ部１６ａに接続され、これにより、撮影レンズ鏡筒２内外の電気的導通が取られる。ここで、フレキシブル基板８ａ・９ａを位置決めしている固定筒１３の位置決めダボ１３ａは、撮像素子保持部材１４との組み込み後に、撮像素子保持部材１４のスリット部１４ｃに入り込む。そのため、フレキシブル基板８ａ・９ａが位置決めダボ１３ａから外れる方向に動いても、撮像素子保持部材１４の壁部材１４１の内面１４ｄに規制されることとなり、抜け止めがなされる。なお、本実施形態では、固定筒１３にフレキシブル基板８ａ・９ａの位置を固定する位置決めダボ１３ａが設けられ、撮像素子保持部材１４にこの位置決めダボ１３ａを入り込ませるスリット部１４ｃが設けられていたが、逆の構成、すなわち、撮像素子保持部材１４にフレキシブル基板８ａ・９ａの位置を固定する位置決めダボが設けられ、固定筒１３にこの位置決めダボを入り込ませるスリット部を設けるようにしてもよい。このような構成は、後述する第２実施形態と第３実施形態においても適用することができる。
【００２２】
次に、図５乃至図７（ｂ）を参照して、フレキシブル基板８ａ・９ａの収納時の挙動について説明する。図５は、図２の撮影レンズ鏡筒２が撮影状態のＴＥＬＥ（望遠）位置にあるときの断面図である。図６は、図２の撮影レンズ鏡筒２が撮影状態のＷＩＤＥ（広角）位置にあるときの断面図である。図７（ａ）は、図２の撮影レンズ鏡筒２が非撮影状態（沈胴状態）にあるときの断面図であり、図７（ｂ）は、図７（ａ）の一点鎖線で示すＡ部の要部を示す図である。図５乃至図７（ａ）はいずれも、光軸を含み、フレキシブル基板８ａ・９ａの挙動を確認できる位相で切った断面図である。
【００２３】
フレキシブル基板８ａ・９ａは、絞りユニット８が有する絞りフレキシブル基板８ａが、絞りユニット８より撮像面側に位置する２群鏡筒９が有するシャッタフレキシブル基板９ａより外径側を通る位置関係にある。
【００２４】
図５のＴＥＬＥ位置では、絞りユニット８と２群鏡筒９は最大繰り出し位置にある（被写体側に最も繰り出した状態にある）ため、フレキシブル基板８ａ・９ａは最も伸びた状態となっている。フレキシブル基板８ａ・９ａの全長は、絞りユニット８と２群鏡筒９が最大繰り出し位置にあるときの、絞りユニット８及び２群鏡筒９と撮像素子保持部材１４との位置関係によって決まる。
【００２５】
撮影レンズ鏡筒２を図５のＴＥＬＥ位置から繰り込み方向に動かしていく（収納状態へ移行する）と、絞りユニット８と２群鏡筒９は共に、徐々に撮像面側に移動していく。その際、フレキシブル基板８ａ・９ａは、引き出し口の径方向位置に中心がある略半円形状で且つ引き出し口の径方向位置より内径側に突出するように撮像素子保持部材１４に設けられた凸形状部１４ａに当接し、凸形状部１４ａの円弧形状に沿うように撮影レンズ鏡筒２の内径側に案内され、巻き取られていく。更に絞りユニット８と２群鏡筒９が繰り込み方向へ移動すると、フレキシブル基板８ａ・９ａは、撮像素子保持部材１４の底面１４ｅに当接するまでは、凸形状部１４ａの円弧頂点から撮像面側に真っ直ぐに下りて、Ｕ字形状となる。
【００２６】
フレキシブル基板８ａ・９ａが撮像素子保持部材１４の底面１４ｅに当接してから更に絞りユニット８と２群鏡筒９の繰り込みが進むと、底面１４ｅに対するフレキシブル基板８ａ・９ａの当接面積が増えていく。つまり、フレキシブル基板８ａ・９ａが、図６の上下方向に広がっていき、絞りユニット８と２群鏡筒９を更に繰り込むと、フレキシブル基板８ａ・９ａの一部が撮像素子保持部材１４の傾斜部１４ｆに乗り上げる。そして、フレキシブル基板８ａ・９ａは、絞りユニット８と２群鏡筒９が撮像面側に移動する力が推進力となって、撮像素子保持部材１４の傾斜部１４ｆからの分力を図６の矢印Ｘ方向に受けて滑って行く。
【００２７】
なお、図６は、フレキシブル基板８ａ・９ａが矢印Ｘ方向に分力を受けて少し動いた後の状態を示しており、フレキシブル基板８ａ・９ａの一部が、撮像素子保持部材１４の凸形状部１４ａに沿って凸形状部１４ａの円弧頂点から撮像面側に入り込んでいる。
【００２８】
図６のＷＩＤＥ位置から絞りユニット８と２群鏡筒９が更に撮像面側に繰り込んで図７（ａ）の沈胴状態になると、撮像素子保持部材１４の凸形状部１４ａより撮像面側に施された凹形状部１４ｂにフレキシブル基板８ａ・９ａが入り込み、収納が完了する。ここで、凸形状部１４ａは、前述したように、フレキシブル基板８ａ・９ａの引き出し口の径方向位置より内径側に突出しており、凹形状部１４ｂは引き出し口の径方向位置より外径側に切り欠かれている。そのため、凸形状部１４ａと凹形状部１４ｂに沿って収納されたフレキシブル基板８ａ・９ａは、図７（ａ）に示す第１の曲げ部及び第２の曲げ部を含むＳ字形状を成している。すなわち、フレキシブル基板８ａ・９ａは凸形状部１４ａの少なくとも一部と接触して、フレキシブル基板８ａ・９ａの第１の曲げ部が内径側に突出し、フレキシブル基板８ａ・９ａの第２の曲げ部が凹形状部１４ｂに収納される。よって、従来のフレキシブル基板が引き出し口から真っ直ぐに撮像面側に下してＵ字形状に収納されるのに対して、フレキシブル基板８ａ・９ａは引き出し口の径方向位置より内径側および外径側に膨らんだ状態で収納されるので、その膨らんだ長さの差分だけフレキシブル基板８ａ・９ａの長さを長くすることができる。
【００２９】
撮像素子保持部材１４に設けられた凸形状部１４ａと凹形状部１４ｂのそれぞれの光軸方向の最大長さは、フレキシブル基板８ａ・９ａの力学的安定性を考慮すると、略同一である（図７（ａ）中の長さＬ，Ｌ’）であることが望ましい。また、凸形状部１４ａの曲率半径Ｒは、沈胴状態におけるフレキシブル基板８ａ・９ａの曲げ負荷を減らすために、凸形状部１４ａとフレキシブル基板８ａ・９ａとの距離と、凹形状部１４ｂとフレキシブル基板８ａ・９ａとの距離を等しく保てる範囲で大きい方がよく、例えば、凸形状部１４ａの曲率半径ＲをＲ≒Ｌ／２、とすることができる。
【００３０】
なお、本実施形態では、フレキシブル基板８ａ・９ａをＳ字形状で収納するための凸形状部１４ａと凹形状部１４ｂを撮像素子保持部材１４のみで形成したが、凸形状部１４ａと凹形状部１４ｂを固定筒１３のみに形成し、或いは、凸形状部１４ａと凹形状部１４ｂを撮像素子保持部材１４と固定筒１３の両方で形成する構成としてもよい。このような構成は、後述する第２実施形態と第３実施形態においても適用することができる。
【００３１】
上記説明の通り、本実施形態では、撮影レンズ鏡筒２が沈胴状態にあるときに、フレキシブル基板８ａ・９ａを、撮影レンズ鏡筒２の有効光路内に収納することなく、Ｓ字形状にして撮影レンズ鏡筒２の外周部に収納する構成としている。これにより、撮影レンズ鏡筒を大型化させることなく、従来よりも長いフレキシブル基板８ａ・９ａの収納が可能になり、絞りユニット８と２群鏡筒９の繰り出しストロークが従来より長い撮影レンズ鏡筒への対応が可能になる。また、本実施形態によれば、撮影レンズ鏡筒２内の部品を傷付けることがなく、沈胴状態から撮像開始までの間のフレキシブル基板８ａ・９ａの動きを考慮する必要がないため、起動時間を短くすることができる。
【００３２】
以下、図８乃至図１１を用いて、凸形状部１４ａ等の変形例について説明する。なお、図８乃至図１１では、第１実施形態で説明した撮像素子保持部材１４の部位と同じ部位については同じ符号を付すものとする。
【００３３】
＜第２実施形態＞
第１実施形態では、フレキシブル基板８ａ・９ａを収納する凹形状部１４ｂの撮像面側の部分は、フレキシブル基板８ａ・９ａを撮影レンズ鏡筒２内に納めるための底部が設けられていない構造（底部１４ｅに穴部１４ｇが形成されている構造）となっている。そのため、前述の通り、撮影レンズ鏡筒２の撮像面側の部材の平らな面を利用し、或いは、不図示のシート部材を用いて、穴部１４ｇを塞ぐ必要がある。この場合には、部品点数が増えて、コストアップを招いてしまうという問題や、周辺部材の表面に対してフレキシブル基板８ａ・９ａを滑らせるときの摩擦による損傷等が懸念される。
【００３４】
この問題を解決するために、第２実施形態では、撮像素子保持部材１４の凸形状部１４ａを変形させ、凹形状部１４ｂの撮像面側に形成された穴部１４ｇに、フレキシブル基板８ａ・９ａを撮影レンズ鏡筒２内に納めるための底部を設けた構造としている。
【００３５】
図８は、第２実施形態に係る撮像素子保持部材２４の構造を示す斜視図である。撮像素子保持部材２４では、第１実施形態に係る撮像素子保持部材１４と異なり、穴部１４ｇの中央に、底面１４ｅに繋がる底部２４ｈが設けられており、凸形状部１４ａの中央には、底部２４ｈの幅と同じか又はそれ以上の幅の貫通部２４ｉが設けられている。従って、底部２４ｈを光軸方向の被写体側に投影すると、底部２４ｈが貫通部２４ｉの範囲内に概ね収まる。
【００３６】
底部２４ｈを金型成形により形成する際には、光軸方向の被写体側に金型を抜く必要があるため、凸形状部１４ａにはその金型を通すための形状が必要になる。そこで、撮像素子保持部材２４では、貫通部２４ｉを利用して金型を通すことができるようになっている。底部２４ｈは、フレキシブル基板８ａ・９ａを撮影レンズ鏡筒２の外側に飛び出すことを防止すると共に、凹形状部１４ｂの方向へ滑る際に、摩擦抵抗の原因となる表面粗さを適正に管理する役割を担う。
【００３７】
図９は、図８の撮像素子保持部材２４にフレキシブル基板８ａ・９ａのみを配置した状態を示す斜視図である。第１実施形態と同様に、撮像素子保持部材２４でも、フレキシブル基板８ａ・９ａの収納時には、フレキシブル基板８ａ・９ａに凸形状部１４ａの円弧形状に沿う動きをさせる。このとき、凸形状部１４ａの中央に貫通部２４ｉが設けられているため、シャッタフレキシブル基板９ａの幅方向両端部が凸形状部１４ａに対する当接することとなる。また、撮像素子保持部材２４の底部２４ｈへは、シャッタフレキシブル基板９ａの幅方向中央部が当接することとなる。このように、本実施形態では、シャッタフレキシブル基板９ａの収納に、シャッタフレキシブル基板９ａの幅方向両端部と幅方向中央部とを使い分けている。
【００３８】
なお、撮像素子保持部材２４の凸形状部１４ａの貫通部２４ｉは、凸形状部１４ａと接触するシャッタフレキシブル基板９ａによって覆われる。そのため、絞りフレキシブル基板８ａの幅は貫通部２４ｉの幅より細くても構わない。
【００３９】
上記説明の通り、本実施形態でも、第１実施形態と同じ効果が得られる。また、本実施形態によれば、部品点数を削減することができ、フレキシブル基板８ａ・９ａを滑らせるときの摩擦による損傷を抑制しつつ、フレキシブル基板８ａ・９ａを撮影レンズ鏡筒２内に収納することができる。
【００４０】
＜第３実施形態＞
シャッタフレキシブル基板９ａに防振用の配線パターンが設けられる場合には、シャッタフレキシブル基板９ａの幅の更なる拡大が見込まれる。これに対応するために、第３実施形態では、第１実施形態で説明した撮像素子保持部材１４を変形させる。
【００４１】
図１０は、第３実施形態に係る撮像素子保持部材３４の構造を示す斜視図である。撮像素子保持部材３４では、第１実施形態に係る撮像素子保持部材１４と異なり、穴部１４ｇ（図３参照）の両端に底面１４ｅに繋がる底部３４ｇが設けられており、２つの底部３４ｇの間が、穴部１４ｇに起因する貫通穴３４ｈとなっている。凸形状部１４ａは、底部３４ｇによって塞がれていない貫通穴３４ｈの幅と同等かそれ以下の幅を残して両端部が削られたことにより、中央部だけに半円状突起部３４ｆが形成された構造となっている。換言すれば、底部３４ｇの幅と同じか又はそれ以上の幅で凸形状部１４ａが削られることにより、半円状突起部３４ｆが形成されており、半円状突起部３４ｆを光軸方向の撮像面側に投影すると、半円状突起部３４ｆは貫通穴３４ｈの範囲内に概ね収まる。
【００４２】
２つの底部３４ｇを金型成形により形成する際には、光軸方向の被写体側に金型を抜く必要があるため、凸形状部１４ａにはその金型を通すための形状が必要となる。そこで、撮像素子保持部材３４では、凸形状部１４ａにおける半円状突起部３４ｆの両側を利用して金型を通すことができるようになっている。２つの底部３４ｇは、フレキシブル基板８ａ・９ａを撮影レンズ鏡筒２の外側に飛び出すことを防止すると共に、凹形状部１４ｂの方向へ滑る際に摩擦抵抗の原因となる表面粗さを適正に管理する役割を担う。
【００４３】
図１１は、図１０の撮像素子保持部材３４にフレキシブル基板８ａ・９ａのみを配置した状態を示す斜視図である。撮像素子保持部材３４では、凸形状部１４ａの両側が削られて、幅の狭い半円状突起部３４ｆが形成された構造となっている。そのため、フレキシブル基板８ａ・９ａの収納時には、シャッタフレキシブル基板９ａの幅方向中央部を半円状突起部３４ｆに当接させて、フレキシブル基板８ａ・９ａに半円状突起部３４ｆの円弧形状に沿う動きをさせる。一方、撮像素子保持部材３４の２つの底部３４ｇには、シャッタフレキシブル基板９ａの幅方向両端部が当接する。このように、本実施形態でも、第２実施形態と同様に、シャッタフレキシブル基板９ａを収納するために、シャッタフレキシブル基板９ａの幅方向中央部と両端部とを使い分けている。
【００４４】
なお、撮像素子保持部材３４の貫通穴３４ｈは、底部３４ｇと接触するシャッタフレキシブル基板９ａによって覆われるため、絞りフレキシブル基板８ａの幅は貫通穴３４ｈの幅より細くても構わない。上記説明の通り、本実施形態でも、第２実施形態と同じ効果が得られる。
【００４５】
＜その他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００４６】
２    撮影レンズ鏡筒
８    絞りユニット
８ａ    絞りフレキシブル基板
９    ２群鏡筒
９ａ    シャッタフレキシブル基板
１３  固定筒
１４，２４，３４    撮像素子保持部材
１４ａ    凸形状部
１４ｂ    凹形状部
２４ｈ，３４ｇ    底部
２４ｉ    貫通部
３４ｆ    半円状突起部
【図１】
0005901701.tif 000002
【図２】
0005901701.tif 000003
【図３】
0005901701.tif 000004
【図４】
0005901701.tif 000005
【図５】
0005901701.tif 000006
【図６】
0005901701.tif 000007
【図７】
0005901701.tif 000008
【図８】
0005901701.tif 000009
【図９】
0005901701.tif 000010
【図１０】
0005901701.tif 000011
【図１１】
0005901701.tif 000012